(57)【特許請求の範囲】
【請求項１】
オスクリップ、メスクリップ、トップクリップの順にヒンジ部で連結され、一端にセット穴が形成されるとともに、他端にバンド穴が一定の間隔をもって複数形成されたリストバンドを環状に巻き止めるリストバンド用クリップにおいて、
前記オスクリップには前記リストバンドのバンド孔の間隔に対応した一対の第一のボスが形成され、前記トップクリップにはＲＦＩＤを収納する収納部と第二のボスとが形成され、前記メスクリップには前記一対の第一のボスが挿通される一対の第一のボス孔と前記トップクリップに設けた第二のボスが挿通される第二のボス孔とが形成され、
前記リストバンドの両端部のバンド孔を重ね合わせた状態で前記第一のボスを前記バンド孔を介して前記第一のボス孔に嵌め合わせることにより前記リストバンドを環状に巻き止めるとともに、
前記第一のボスと第一のボス孔は前記オスクリップとメスクリップとを、また、前記第二のボスと第二のボス孔は前記トップクリップとメスクリップとを繋ぎ止めるロック可能な形状を有していることを特徴とするリストバンド用クリップ。
【発明の詳細な説明】
【技術分野】
【０００１】
本発明はリストバンド用クリップに係り、特に病院などで患者の手首や足首などに巻き付けて使用されるリストバンドを環状に巻き止めるリストバンド用クリップに関する。
【背景技術】
【０００２】
近年、病院では患者の取り違えミスを防止するために、患者の名前や年齢、血液型といった患者固有の識別データを表示したリストバンドを患者の手首や足首に取り付けることが行われている。
【０００３】
一般にリストバンドは帯状に形成されており、これを手首などに巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止めるものである(特許文献１参照)。
【０００４】
なお、医療向けのリストバンドは、患者の取り違いなどによる医療過誤を未然に防ぐために、病院の入院患者や新生児などに本人識別用の固有の情報を印字記録したリストバンドで本人確認を行い、適正な処置を施すことができるようにしている。
【０００５】
特に近年は、そのリストバンドに本人識別用の情報であるバーコードや視認できる種々の情報を印字するだけではなく、より多くの情報やシステムでの応用を考慮した非接触で書き込み及び読み取り可能なＲＦＩＤ（Ｒａｄｉｏ Ｆｒｅｑｕｅｎｃｙ Ｉｄｅｎｔｉｆｉｃａｔｉｏｎ）のインレットを内装したものや、ＩＣタグなどを収納する収納部を設けたリストバンドが利用されてきている(特許文献２参照、特許文献３参照)。
【０００６】
しかしながら、従来のリストバンド用クリップは、リストバンドに形成された穴にボスを通して手首や足首などの巻き止めるだけの構成のため、より多くの情報やシステムでの応用を考慮した非接触で書き込み及び読取り可能にするには、リストバンドにポケット部を設け、そのポケット部にＲＦＩＤを収納するか、リストバンドを構成する上下シート材の間にＲＦＩＤインレットを内装したものが使用されるが、リストバンドが手首や足首に巻かれていることから、ＲＦＩＤの書き込み情報の読み取りで、電磁波が人体に吸収されて通信距離が短くなり、また、ＩＣチップやＩＣチップとアンテナ接続部が破損して、通信不能となる問題点があった。
【０００７】
【特許文献１】特開２００３−０１５５２７号公報
【特許文献２】特開２００３−０７０８５２号公報
【特許文献３】特開２００３−３０５９７８号公報
【発明の開示】
【発明が解決しようとする課題】
【０００８】
本発明は、このような問題に鑑みてなされたものであり、その目的とするところは、リストバンドを環状に巻き止めるリストバンド用クリップにＲＦＩＤを収納する収納部を設けたことで、ＲＦＩＤのインレットの破損防止を可能とし、電磁波が人体に吸収されて通信距離が短くならないで通信可能となるリストバンド用クリップを提供する点にある。
【課題を解決するための手段】
【０００９】
本発明は上記課題を解決すべく、以下に掲げる構成とした。
請求項１記載の発明の要旨は、オスクリップ、メスクリップ、トップクリップの順にヒンジ部で連結され、一端にセット穴が形成されるとともに、他端にバンド穴が一定の間隔をもって複数形成されたリストバンドを環状に巻き止めるリストバンド用クリップにおいて、前記オスクリップには前記リストバンドのバンド孔の間隔に対応した一対の第一のボスが形成され、前記トップクリップにはＲＦＩＤを収納する収納部と第二のボスとが形成され、前記メスクリップには前記一対の第一のボスが挿通される一対の第一のボス孔と前記トップクリップに設けた第二のボスが挿通される第二のボス孔とが形成され、前記リストバンドの両端部のバンド孔を重ね合わせた状態で前記第一のボスを前記バンド孔を介して前記第一のボス孔に嵌め合わせることにより前記リストバンドを環状に巻き止めるとともに、前記第一のボスと第一のボス孔は前記オスクリップとメスクリップとを、また、前記第二のボスと第二のボス孔は前記トップクリップとメスクリップとを繋ぎ止めるロック可能な形状を有していることを特徴とするリストバンド用クリップに存する。
【００１０】
本発明によれば、リストバンドを環状に巻き止めるリストバンド用クリップにＲＦＩＤを収納する収納部を設けたことで、ＲＦＩＤの破損の防止・低減が可能となり、人体から所定の距離だけ離して保持することから、電磁波が人体に吸収されて通信距離が短くならないで通信可能となる。
【発明の効果】
【００１１】
本発明によれば、リストバンド用クリップにＲＦＩＤを収納可能としたことで、リストバンドの印字領域にＲＦＩＤを内装することが必要でなくなり、ＩＣチップなどの凹凸による印字不良がなくなり、印字領域の全面に印字が可能となり、また、鮮明な印字が可能となる。
【００１２】
更に、リストバンドに印字したバーコードなどの印字情報が擦れなどで視認不可能となり、あるいは、読み取り装置による認識不可能となったとしても、ＲＦＩＤに入力した情報は生きており、バーコードなどの情報が補完できる。
【００１３】
また、ＲＦＩＤインレットのＩＣチップや、ＩＣチップとアンテナの接合部に対する負荷による破損の防止・低減が可能となり、インレットのリサイクル使用が可能となる。
【００１４】
ＲＦＩＤの読み取りで、電磁波が人体に吸収された通信距離が短くならないように、ＲＦＩＤを人体から所定の距離だけ離して保持することが可能となるなどの効果を奏する。
【発明を実施するための最良の形態】
【００１５】
以下、添付図面に従って本発明に係るリストバンド用クリップの好ましい実施の形態について詳説する。
【００１６】
図１、図２、図３、図４は、それぞれ本発明に係るリストバンド用クリップの一実施形態を示す平面図、矢視Ｉ−Ｉの断面図、斜視図、側面図である。
【００１７】
以下、添付図面に従って本発明に係るリストバンド用クリップの実施の形態について詳説する。
【００１８】
図１は本発明の実施の形態に係るリストバンド用クリップの平面図、図２はその断面図である。図１に示すように、本実施の形態のリストバンド用クリップ（以下、単にクリップと記載する）１０は、オスクリップ部１２とメスクリップ部１４とトップクリップ４５とがヒンジ１６Ａと１６Ｂにて連結されて一体形成されている。
【００１９】
図１，図２に示すように、オスクリップ部１２の中央にはボス１８Ａが形成され、それぞれのボス１８Ａは、後述するリストバンドに形成されたバンド孔の形成間隔Ｐと同間隔で形成されている。また、メスクリップ部１４の中央にはボス孔２４Ａが形成され、これらボス孔２４Ａの形成間隔もバンド孔２２の形成間隔Ｐと同間隔で形成されている。
【００２０】
メスクリップ部１４にはボス孔２４Ｂ、トップクリップ４５にはボス１８がヒンジ１６Ｂの中央から左右対称位置に形成されている。
【００２１】
ヒンジ１６Ａ、１６Ｂは、薄板状で屈曲可能に形成されている。
【００２２】
図２に示すように、オスクリップ部１２に突出するように形成されたボス１８Ａには、円柱状の軸部２６先端に第１の拡径部を構成する円錐状の係止部２８と、さらにその先端に第２の拡径部を構成する逆止部３０とが設けられている。逆止部３０における軸部２６の外周からの突出部分は弾性変形によりその径が拡縮可能に構成されている。
【００２３】
トップクリップ４５に突出するように形成されたボス１８Ｂには、円柱状の軸部５２先端に拡径部を構成する逆止部５０が設けられている。
【００２４】
一方、メスクリップ部１４のボス孔２４Ａは、オスクリップ部１２のボス１８Ａの係止部２８の形状に対応して逆円錐状（すり鉢状）に形成された保持部３２を有し、さらにボス孔２４Ａは、円錐状（逆すり鉢状）に形成されている。
【００２５】
ボス孔２４Ａにおけるメスクリップ部１４下面には、ボス孔２４の内周に沿って肉盛してなる抜け止め部３４が形成されている。この抜け止め部３４には切り欠き３６が４箇所形成され（図１参照）、抜け止め部３４の内径を拡縮可能としている。
【００２６】
また、ボス孔２４Ｂには、ボス孔２４Ｂの内周に沿って肉盛してなる抜け止め部５４が形成されている。この抜け止め部５４には切り欠き５６が４箇所形成され、抜け止め部５４の内径を拡縮可能としている。
【００２７】
このような構成のクリップ１０をヒンジ１６ＡでＸ方向へ折り畳むと、オスクリップ部１２のボス１８Ａがメスクリップ部１４のボス孔２４Ａに嵌入されて、オスクリップ部１２とメスクリップ部１４とが繋ぎ止められ、さらに、ヒンジ１６Ｂでトップクリップ４５をＹ方向へ折り畳むと、トップクリップ部４５のボス１８Ｂがメスクリップ部１４のボス孔２４Ｂに嵌入されて、トップクリップ部４５とメスクリップ部１４とが繋ぎ止められる。すなわち、ボス孔２４Ａの抜け止め部３４がボス１８Ａの逆止部３０で押し広げられつつ、ボス１８Ａがボス孔２４Ａに挿入される。抜け止め部３４は逆止部３０が通過するとその弾性復元力で縮径して逆止部３０と係止部２８との間に嵌まり込む。ボス孔２４Ａの保持部３２は、ボス１８Ａの係止部２８の形状に対応していることから、係止部２８が保持部３２に密着するように保持され、ボス孔２４におけるボス１８のガタツキが防止される。この状態で、ボス１８をボス孔２４から抜こうとしても、抜け止め部３４が逆止部３０に引っ掛かり、ボス１８の抜けが防止され、同様に、ボス孔２４Ｂの抜け止め部５４がボス１８Ｂの逆止部５０で押し広げられつつ、ボス１８Ｂがボス孔２４Ｂに挿入される。抜け止め部５４は逆止部５０が通過するとその弾性復元力で縮径して逆止部５０が嵌まり込む。この状態で、ボス１８Ｂをボス孔２４Ｂから抜こうとしても、抜け止め部５４が逆止部５０に引っ掛かり、ボス１８Ｂの抜けが防止される。
【００２８】
図３は本実施の形態のクリップ１０によって巻き止められるリストバンド２０の斜視図である。同図に示すようにリストバンド２０は、その一部が幅広に形成された表示部３８と、この表示部３８の両側に延びるバンド部４０，４２とで構成されている。
【００２９】
表示部３８には所定の情報（ここでは、患者名、科名、病棟名、血液型、バーコード及び二次元コードなど）が印字される。
【００３０】
短い方のバンド部４０には、リストバンド用クリップ１０のセット用の一対のバンド孔（以下、当該バンド孔はセット孔と表記する）４４，４４が形成されている。当該セット孔４４，４４は、一定の間隔Ｐをもって形成されている。一方、長い方のバンド部４２にはバンド孔２２，２２が一定の間隔Ｐをもって複数個形成されている。
【００３１】
以上のように構成された本実施の形態のクリップ１０の作用を、リストバンド２０を手首に巻き付ける手順をもって説明する。
【００３２】
まず、図３に示すように短い方のバンド部４０に形成されたセット孔４４にオスクリップ部１２のボス１８を通し、クリップ１０にリストバンド２０を取り付ける。
【００３３】
次に、リストバンド２０を手首に巻き付けた後、長い方のバンド部４２に形成されたバンド孔２２を手首の太さに応じて選択し、ボス１８を当該選択したバンド孔２２に通す。これにより、リストバンド２０が仮の位置で手首に巻き付けられる。
【００３４】
ついで、ヒンジ１６Ａを介してメスクリップ部１４をオスクリップ部１２側に折り曲げ、オスクリップ部１２の上面をメスクリップ部１４で閉じ、クリップ１０を折り畳む。
【００３５】
さらに、オスクリップ部１２をメスクリップ部１４で閉じたメスクリップ部１４の上面にＲＦＩＤを置き、ヒンジ１６Ｂを介してトップクリップ部４５をメスクリップ部１４側に折り曲げ、ＲＦＩＤが置かれたメスクリップ部１４の上面をトップクリップ部４５で閉じ、クリップ１０を折り畳む。
【００３６】
ボス１８Ａの先端に形成された逆止部３０がメスクリップ部１４の抜け止め部３４を押し広げた後、逆止部３０が抜け止め部３４と係合して、図４に示すようにメスクリップ部１４がロックされ、さらに、トップクリップ４５のボス１８Ｂの先端に形成された逆止部５０がメスクリップ部１４の抜け止め部５４を押し広げた後、逆止部５０が抜け止め部５４と係合して、トップクリップ４５がメスクリップ部１４にロックされ、ＲＦＩＤがトップクリップ４５とメスクリップ部１４とで形成された収納部に収納保持される。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【００３８】
また、本実施の形態では本発明を病院等で患者識別のために使用されるリストバンドに適用した例で説明したが、本発明の適用はこれに限定されるものではなく、遊園地等のアミューズメント施設で入場チケット等として使用されるリストバンドやスキー場等でリフト券等として使用されるリストバンドなど、あらゆる用途のリストバンドに適用することができる。
【図面の簡単な説明】
【００３９】
【図１】リストバンド用クリップの一実施形態を示す平面図
【図２】リストバンド用クリップの一実施形態を示す図1矢視Ｉ−Ｉの断面図
【図３】一実施形態に係るリストバンド用クリップが適用されるリストバンドの構成を示す斜視図
【図４】一実施形態に係るリストバンド用クリップの作用を示す側面図
【符号の説明】
【００４０】
１０…リストバンド用クリップ、１２…オスクリップ部、１６Ａ、１６Ｂ…ヒンジ、１８Ａ…ボス（第一のボス）１８Ｂ…ボス（第二のボス）、２０…リストバンド、２２…バンド孔、２４Ａ…ボス孔（第一のボス孔）、２４Ｂ…ボス孔（第二のボス孔）、２６…軸部、２８…係止部、３０…逆止部、３２…保持部、３４抜け止め部、３６・・・切り欠き、３８…表示部、４０…バンド部、４２…バンド部、４４…バンド孔（セット孔）、４５…トップクリップ部、５０…逆止部、５２…軸部、抜け止め部、５６…きり欠き、５８…ＲＦＩＤ、６０…収納部
【図１】
0004666625.tif 000002
【図２】
0004666625.tif 000003
【図３】
0004666625.tif 000004
【図４】
0004666625.tif 000005